(57)【要約】【課題】被乾燥対象物の乾燥度合いに応じて効率よく乾燥させる乾燥機を提供する。【解決手段】衣類洗濯乾燥機１は、回転ドラム１１０の内部に空気を供給するための供給路１２０と、回転ドラム１１０の内部から空気を排出するための排出路１３０と、送風機１４０と、ヒータ１５０と、供給路１２０内の絶対湿度を検知するための供給側温湿度センサ１７１と、排出路１３０内の絶対湿度を検知するための排出側温湿度センサ１７２とを備え、供給側温湿度センサ１７１によって検知される絶対湿度と排出側温湿度センサ１７２によって検知される絶対湿度との差が所定の値よりも大きい場合には、送風機１４０が駆動されてヒータ１５０が駆動停止され、供給側温湿度センサ１７１によって検知される絶対湿度と排出側温湿度センサ１７２によって検知される絶対湿度との差が所定の値以下である場合には、送風機１４０とヒータ１５０とが駆動されるように構成されている。【選択図】図１
2011120778.tif 000002
【特許請求の範囲】
【請求項１】
被乾燥対象物を収容する容器と、
前記容器の内部に空気を供給するための供給路と、
前記容器の内部から空気を排出するための排出路と、
前記供給路内の空気を送出するための送風部と、
前記供給路内の空気を加熱するための加熱部と、
前記供給路内の絶対湿度を検知するための第１検知部と、
前記排出路内の絶対湿度を検知するための第２検知部とを備え、
前記第１検知部によって検知される絶対湿度と前記第２検知部によって検知される絶対湿度との差が所定の値よりも大きい場合には、前記送風部が駆動されて前記加熱部が駆動停止され、前記第１検知部によって検知される絶対湿度と前記第２検知部によって検知される絶対湿度との差が所定の値以下である場合には、前記送風部と前記加熱部とが駆動されるように構成されている、乾燥機。
【請求項２】
前記第１検知部によって検知される絶対湿度と前記第２検知部によって検知される絶対湿度との差が所定の値よりも大きい場合には、前記送風部によって送出される空気の量を相対的に小さくするように構成されている、請求項１に記載の乾燥機。
【請求項３】
前記第１検知部によって検知される絶対湿度と前記第２検知部によって検知される絶対湿度との差の時間変化に基づいて、前記送風部によって送出される空気の量を調整するように構成されている、請求項１または請求項２に記載の乾燥機。
【発明の詳細な説明】
【技術分野】
【０００１】
この発明は乾燥機に関する。
【背景技術】
【０００２】
従来、乾燥機には、被乾燥対象物に常温の空気を送風する乾燥と、加熱された空気を送風する乾燥とを行うものがある。
【０００３】
例えば、特許第４１９７６１９号公報（特許文献１）には、乾燥運転として「温風乾燥」運転と「常温乾燥」運転とを行う洗濯乾燥機が記載されている。この洗濯乾燥機では、例えば、乾燥行程のはじめは「常温乾燥」運転とし、あとは「温風乾燥」運転とする。また、洗い前の衣類の重量と洗い後の水分を含んだ状態の衣類の重量との差に応じて乾燥行程における「常温乾燥」運転の実行時間と「温風乾燥」運転の実行時間と時間配分を設定する。また、外気温度が高いほど「常温乾燥」運転を長く実行する時間配分としたり、湿度が低いほど「常温乾燥」運転の実行時間を長くしたりする。
【０００４】
また、特開２００９−７２４９４号公報（特許文献２）には、乾燥運転の進行に応じて送風手段を所定のパターンで制御し、風量を可変制御する乾燥機が記載されている。この乾燥機では、例えば、乾燥運転の初期段階では回転ドラムを高速で回転させながら、送風手段からの風の風量を小、加熱手段からの出力を強に制御し、乾燥運転の途中から送風手段からの風の風量を大、加熱手段の出力を弱に制御する。
【０００５】
また、特開２００９−１０１２０６号公報（特許文献３）には、ヒータをＯＦＦ状態で送風ファンを動作させながら洗濯兼脱水槽を回転させる工程、送風ファンおよびヒータを動作させながら洗濯兼脱水槽を回転させる工程、送風ファンおよびヒータを動作させながら回転翼を往復回転させる工程を有する洗濯乾燥機が記載されている。この洗濯乾燥機では、周囲の温度、湿度、洗濯物の布質に応じて乾燥行程を設定する。
【先行技術文献】
【特許文献】
【０００６】
【特許文献１】特許第４１９７６１９号公報
【特許文献２】特開２００９−７２４９４号公報
【特許文献３】特開２００９−１０１２０６号公報
【発明の概要】
【発明が解決しようとする課題】
【０００７】
しかしながら、特許第４１９７６１９号公報（特許文献１）に記載の洗濯乾燥機と、特開２００９−７２４９４号公報（特許文献２）に記載の乾燥機と、特開２００９−１０１２０６号公報（特許文献３）に記載の洗濯乾燥機では、いずれも、被乾燥対象物を効率よく乾燥させることができない。
【０００８】
例えば、周囲の温度に応じて、風量やヒータの動作を切り替える場合には、周囲の温度が高くても、周囲の湿度が低い場合には、十分な乾燥をすることができない。また、周囲の湿度に応じて風量やヒータの動作を切り替える場合には、周囲の湿度が低くても、乾燥行程の後半などのように被乾燥対象物に含まれる水分が少ない場合には、ヒータを動作させずにそのまま送風しても被乾燥対象物の水分を完全に除去することができない。このように、従来の乾燥機では、被乾燥対象物の乾燥度合いに応じて被乾燥対象物を効率よく乾燥させることができないので、電力を無駄に消費したり乾燥行程に長時間かかったりすることがある。
【０００９】
そこで、この発明の目的は、被乾燥対象物の乾燥度合いに応じて、被乾燥対象物を効率よく乾燥させることが可能な乾燥機を提供することである。
【課題を解決するための手段】
【００１０】
この発明に従った乾燥機は、容器と、供給路と、排出路と、送風部と、加熱部と、第１検知部と、第２検知部とを備える。容器は、被乾燥対象物を収容するものである。供給路は、容器の内部に空気を供給するためのものである。排出路は、容器の内部から空気を排出するためのものである。送風部は、供給路内の空気を送出するためのものである。加熱部は、供給路内の空気を加熱するためのものである。第１検知部は、供給路内の絶対湿度を検知するためのものである。第２検知部は、排出路内の絶対湿度を検知するためのものである。
【００１１】
以上のように構成された乾燥機は、第１検知部によって検知される絶対湿度と第２検知部によって検知される絶対湿度との差が所定の値よりも大きい場合には、送風部が駆動されて加熱部が駆動停止される。第１検知部によって検知される絶対湿度と第２検知部によって検知される絶対湿度との差が所定の値以下である場合には、送風部と加熱部とが駆動されるように構成されている。
【００１２】
図１は、温度がほぼ一定の場合における供給路内の空気の絶対湿度と、排出路内の空気の絶対湿度と、乾燥度との関係を模式的に示す図である。
【００１３】
図１に示すように、供給路内の空気の絶対湿度は、乾燥行程の全体を通してほぼ一定であると考えられる。一方、排出路内の空気の絶対湿度は、乾燥行程開始後、時間が経過するとともに減少する。排出路内の空気の絶対湿度が減少するに従って、被乾燥対象物の乾燥度は上昇する。被乾燥対象物の乾燥度が１００％になるとき、すなわち、乾燥行程の終了時には、供給路内の空気の絶対湿度と、排出路内の空気の絶対湿度とが等しくなる。このように、乾燥行程の初期の区間Ａでは、供給路内の空気と排出路内の空気の絶対湿度の差が大きい状態が続き、その後、区間Ｂでは、絶対湿度の差は徐々に減少して行く。乾燥終了間近の区間Ｃでは、被乾燥対象物からの水分蒸発は極小となるため、絶対湿度の差が小さくなる。供給路内の空気の絶対湿度と、排出路内の空気の絶対湿度との差が小さくなるほど、被乾燥対象物の乾燥度が上昇する。
【００１４】
そこで、第１検知部によって検知される絶対湿度と第２検知部によって検知される絶対湿度との差が所定の値よりも大きい場合には、送風部が駆動されて加熱部が駆動停止される。このような場合には、供給路内の空気は被乾燥対象物と比較して十分に乾燥しているので、供給路内の空気が加熱されずにそのまま被乾燥対象物に接触することによって、被乾燥対象物から十分に水分を除去することができる。なお、被乾燥対象物に供給される空気の温度が低くても、供給路内の空気の絶対湿度と排出路内の空気の絶対湿度との差が所定の値よりも大きければ、供給路内の空気をそのまま被乾燥対象物に供給しても被乾燥対象物から水分を除去することができる。
【００１５】
一方、第１検知部によって検知される絶対湿度と第２検知部によって検知される絶対湿度との差が所定の値以下である場合には、送風部と加熱部とが駆動される。このような場合には、供給路内の空気は、被乾燥対象物と比較して十分に乾燥しているとはいえない。そこで、供給路内の空気を加熱してから被乾燥対象物に供給することによって、被乾燥対象物からさらに水分を除去することができる。
【００１６】
このように、供給路内の空気の絶対湿度と排出路内の空気の絶対湿度との差に基づいて、供給路内の空気を加熱せずにそのまま被乾燥対象物に供給するか、供給路内の空気を加熱してから被乾燥対象物に供給するかを切り替えることによって、被乾燥対象物の乾燥度に応じて、最適な乾燥を行うことができ、省エネルギーを実現することができる。例えば、供給路内の空気を加熱する必要がないときには供給路内の空気をそのまま被乾燥対象物に供給することによって、加熱部で消費される電力を低減させることができる。また、供給路内の空気をそのまま被乾燥対象物に供給しても十分に乾燥させることができない場合には、加熱部で加熱された空気を被乾燥対象物に供給することによって、乾燥行程の全体に必要な時間を短縮し、結果として省エネルギーを実現することができる。
【００１７】
このようにすることにより、被乾燥対象物の乾燥度合いに応じて、被乾燥対象物を効率よく乾燥させることが可能な乾燥機を提供することができる。
【００１８】
この発明に従った乾燥機は、第１検知部によって検知される絶対湿度と第２検知部によって検知される絶対湿度との差が所定の値よりも大きい場合には、送風部によって送出される空気の量を相対的に小さくするように構成されていることが好ましい。
【００１９】
供給路内の空気が被乾燥対象物と比較して十分に乾燥している場合には、送風部によって送出される空気の量を相対的に小さくしても、被乾燥対象物から水分を除去することができる。このようにすることにより、消費される電力を低減することができる。
【００２０】
この発明に従った乾燥機は、第１検知部によって検知される絶対湿度と第２検知部によって検知される絶対湿度との差の時間変化に基づいて、送風部によって送出される空気の量を調整するように構成されていることが好ましい。
【００２１】
例えば、乾燥行程の後半には、第１検知部によって検知される絶対湿度と第２検知部によって検知される絶対湿度との差の時間変化量が小さくなる。このような場合には、送風量を大きくしても、被乾燥対象物の乾燥度を増大させることはできない。そこで、例えばこのような場合には、送風量を少なくすることによって、送風量を保つ場合と比較して消費電力を低減することができる。
【発明の効果】
【００２２】
以上のように、この発明によれば、被乾燥対象物の乾燥度合いに応じて、被乾燥対象物を効率よく乾燥させることが可能な乾燥機を提供することができる。
【図面の簡単な説明】
【００２３】
【図１】温度がほぼ一定の場合における供給路内の空気の絶対湿度と、排出路内の空気の絶対湿度と、乾燥度との関係を模式的に示す図である。
【図２】本発明の一つの実施の形態に係る洗濯機の全体を模式的に示す図である。
【図３】本発明の一つの実施の形態に係る洗濯機の制御関連の構成を示すブロック図である。
【図４】本発明の一つの実施の形態に係る洗濯機の乾燥運転における各行程を順に示すフローチャートである。
【図５】本発明の一つの実施の形態に係る洗濯機の送風機能力制御運転における各行程を順に示すフローチャートである。
【図６】送風機によって送出される空気の量と、供給側温湿度センサによって検知される絶対湿度と排出側温湿度センサによって検知される絶対湿度の差と、除湿量との関係を模式的に示す図である。
【発明を実施するための形態】
【００２４】
以下、この発明の一つの実施の形態を図面に基づいて説明する。
【００２５】
図２に示すように、この発明の一つの実施の形態の乾燥機として衣類洗濯乾燥機１は、全体が筐体１００によって覆われている。図２において左側を衣類洗濯乾燥機１の正面側とし、図２において右側を衣類洗濯乾燥機１の背面側とする。
【００２６】
衣類洗濯乾燥機１の筐体１００の内部には、主に、外槽１０１と、外槽１０１の内部において回転可能に支持される容器として回転ドラム１１０と、回転ドラム１１０を回転させる駆動部１０２と、供給路１２０と、排出路１３０と、供給路１２０に配置される送風部として送風機１４０と、供給路１２０に配置される加熱部としてヒータ１５０と、第１検知部として供給側温湿度センサ１７１と、第２検知部として排出側温湿度センサ１７２と、制御部とを備える。
【００２７】
回転ドラム１１０の周壁面には多数の小孔１１１が形成されている。外槽１０１の内部と回転ドラム１１０の内部とは、回転ドラム１１０に形成された小孔１１１によって連通されている。回転ドラム１１０の内部には、被乾燥対象物として、例えば衣類が収容される。
【００２８】
駆動部１０２は、洗濯時に回転ドラム１１０を回転させるためのものである。
【００２９】
供給路１２０は、衣類洗濯乾燥機１の筐体１００の背面から、筐体１００の内部において上部を通って、筐体１００の正面側に延びている。供給路１２０の吸気口１２１は、筐体１００の背面に形成されている。供給路１２０の供給口１２２は、回転ドラム１１０内に向かって開口されている。
【００３０】
排出路１３０は、外槽１０１の底部に接続され、衣類洗濯乾燥機１の筐体１００の背面に向かって延びている。排出路１３０の排気口１３１は、筐体１００の背面において、供給路１２０の吸気口１２１に隣接するように形成されている。
【００３１】
供給路１２０の吸気口１２１と排出路１３０の排気口１３１には、ダンパ１６０が配置されている。ダンパ１６０は、供給路１２０の吸気口１２１と排出路１３０の排気口１３１を開放または閉塞するためのものである。図２には、ダンパ１６０が供給路１２０の吸気口１２１と排出路１３０の排気口１３１を開放している状態を実線で示し、供給路１２０の吸気口１２１と排出路１３０の排気口１３１を閉塞している状態を二点鎖線で示している。ダンパ１６０が吸気口１２１と排気口１３１を閉塞すると、排出路１３０と供給路１２０とが連通されて、供給路１２０から回転ドラム１１０内に供給される空気が排出路１３０を通って供給路１２０に戻る循環路が形成される。
【００３２】
送風機１４０は、ターボファンであり、供給路１２０内の空気を圧縮しながら送出する。ヒータ１５０は、供給路１２０内の空気を加熱する。
【００３３】
供給側温湿度センサ１７１は、供給路１２０の吸気口１２１の近傍において空気の温度と絶対湿度とを検知する。排出側温湿度センサ１７２は、排出路１３０の排気口１３１の近傍において空気の温度と絶対湿度とを検知する。
【００３４】
図３に示すように、衣類洗濯乾燥機１は制御関連の構成として、供給側温湿度センサ１７１と、排出側温湿度センサ１７２と、制御部１８０と、送風機１４０と、ヒータ１５０と、ダンパ１６０とを備える。
【００３５】
供給側温湿度センサ１７１と排出側温湿度センサ１７２は、それぞれ、供給路１２０内と排出路１３０内の温度と絶対湿度を検知して、制御部１８０に信号を送信する。制御部１８０は、供給側温湿度センサ１７１と排出側温湿度センサ１７２によって検知された温度と絶対湿度に基づいて、供給路１２０内の空気の絶対湿度と、排出路１３０内の空気の絶対湿度との差を計算する。制御部１８０は、計算された絶対湿度の差に基づいて、送風機１４０と、ヒータ１５０と、ダンパ１６０とに制御信号を送信する。
【００３６】
以上のように構成された衣類洗濯乾燥機１の動作について説明する。
【００３７】
まず、衣類洗濯乾燥機１で衣類の洗濯を行うときには、外槽１０１内に水が貯められる。回転ドラム１１０の周壁面には多数の小孔１１１が形成されているので、外槽１０１内に水が貯められると、回転ドラム１１０の内部にも水が侵入する。外槽１０１内に水が貯められた状態で回転ドラム１１０を回転させることによって、回転ドラム１１０内に収容される衣類が水で洗濯される。
【００３８】
洗濯終了時には、外槽１０１内の水は排水ホース１０３から筐体１００の外部に排出される。
【００３９】
次に、衣類洗濯乾燥機１で衣類の乾燥を行うときには、図４に示すように、ステップＳ００１で、ダンパ１６０が供給路１２０の吸気口１２１と排出路１３０の排気口１３１を開放させるように、制御部１８０がダンパ１６０を制御する。
【００４０】
ステップＳ００２では、事前の乾燥運転が行われる。送風機１４０が最大の風量で送風するように制御され、供給路１２０内に空気が送出される。送風機１４０が駆動されると、空気は図１に矢印で示す方向に送出される。供給路１２０内に送出された空気は、外槽１０１内を通って回転ドラム１１０内に流入し、回転ドラム１１０内に収容されている衣類に接触する。衣類に接触した空気は、回転ドラム１１０の小孔１１１から再び外槽１０１内に流出し、排出路１３０を通って排気口１３１から筐体１００の外部に排気される。
【００４１】
なお、送風機１４０としてターボファンが用いられているので、空気が圧縮されて温度が上がり、供給路１２０内の空気は、圧縮されない場合と比較して、より多くの水蒸気を含むことができるようになる。
【００４２】
ステップＳ００３では、温湿度の測定が行われる。供給側温湿度センサ１７１と排出側温湿度センサ１７２は、それぞれ、供給路１２０内と排出路１３０内の温度と絶対湿度を検知して、制御部１８０に信号を送信する。制御部１８０は、供給側温湿度センサ１７１によって検知された絶対湿度を吸気の絶対湿度として値ａとして記憶し、排出側温湿度センサ１７２によって検知された絶対湿度を排気の絶対湿度として値ｂとして記憶する。
【００４３】
ステップＳ００４では、制御部１８０は、値ａと値ｂとの差から、吸気の絶対湿度と排気の絶対湿度の差を求め、得られた絶対湿度の差を値ｃとして記憶する。
【００４４】
ステップＳ００５では、制御部１８０は、値ｃとして記憶されている絶対湿度の差が０．００３ｋｇ／ｋｇ（ＤＡ）より大きいかどうかを判断する。値ｃとして記憶されている絶対湿度の差が所定の値として０．００３ｋｇ／ｋｇ（ＤＡ）より大きければ、ステップＳ００６に進んで常温乾燥運転を行う。値ｃとして記憶されている絶対湿度の差が、所定の値として０．００３ｋｇ／ｋｇ（ＤＡ）以下であれば、ステップＳ００７に進んで温風乾燥運転を行う。
【００４５】
ステップＳ００６では、常温乾燥運転が行われる。制御部１８０は、送風機１４０を駆動させ、ヒータ１５０を駆動停止させる。最初にステップＳ００３を行う場合には、ヒータ１５０は駆動停止されているので、そのまま送風機１４０の駆動を継続させる。また、制御部１８０は、ダンパ１６０が供給路１２０の吸気口１２１と排出路１３０の排気口１３１を開放するようにダンパ１６０を制御する。このようにすることにより、吸気口１２１から衣類洗濯乾燥機１の筐体１００の外部の空気が回転ドラム１１０内に供給される。
【００４６】
筐体１００の外部の空気は、回転ドラム１１０の内部の衣類と比較して十分に乾燥している。回転ドラム１１０内に供給された空気は、衣類から水分を除去して、排出路１３０を通って、排気口１３１から筐体１００の外部に流出する。
【００４７】
ステップＳ００７では、温風乾燥運転が行われる。制御部１８０は、送風機１４０を駆動させたまま、ヒータ１５０も駆動させる。また、制御部１８０は、ダンパ１６０が供給路１２０の吸気口１２１と排出路１３０の排気口１３１を閉塞し、排出路１３０と供給路１２０とが連通されるようにダンパ１６０を制御する。ダンパ１６０は、図１に二点鎖線で示す状態にされる。このようにすることにより、ヒータ１５０で加熱されて回転ドラム１１０内に供給された空気は、排出路１３０内に排出された後、再び供給路１２０に流入し、ヒータ１５０で加熱されて回転ドラム１１０内に供給される。このようにすることにより、回転ドラム１１０内に供給される空気の温度を高めることができる。
【００４８】
温風乾燥運転が行なわれている間、排出路１３０内には水道水が流される。回転ドラム１１０から排出路１３０内に排出された湿った空気は、排出路１３０内で水道水との熱交換によって除湿される。排出路１３０内の空気から取り除かれた水と、排出路１３０内に流された水道水は、排水ホース１０３を通して筐体１００の外部に排出される。
【００４９】
次に、図５に示すように、送風機１４０の能力の制御を行う場合について説明する。
【００５０】
ステップＳ１０１では、送風機１４０を最大の風量で送風を行うようにするために、送風機１４０の回転数を最大に制御する。
【００５１】
ステップＳ１０２では、温湿度の測定が行われる。供給側温湿度センサ１７１と排出側温湿度センサ１７２は、それぞれ、供給路１２０内と排出路１３０内の温度と絶対湿度を検知して、制御部１８０に信号を送信する。制御部１８０は、供給側温湿度センサ１７１によって検知された絶対湿度を吸気の絶対湿度として値ａとして記憶し、排出側温湿度センサ１７２によって検知された絶対湿度を排気の絶対湿度として値ｂとして記憶する。
【００５２】
ステップＳ１０３では、制御部１８０は、値ａと値ｂとの差から、吸気の絶対湿度と排気の絶対湿度の差を求め、得られた絶対湿度の差を値ｃとする。
【００５３】
ステップＳ１０４では、値ｃを記憶する。
【００５４】
ステップＳ１０５では、温湿度の測定が行われる。供給側温湿度センサ１７１と排出側温湿度センサ１７２は、それぞれ、供給路１２０内と排出路１３０内の温度と絶対湿度を検知して、制御部１８０に信号を送信する。制御部１８０は、供給側温湿度センサ１７１によって検知された絶対湿度を吸気の絶対湿度として値ａとして記憶し、排出側温湿度センサ１７２によって検知された絶対湿度を排気の絶対湿度として値ｂとして記憶する。
【００５５】
ステップＳ１０６では、制御部１８０は、値ａと値ｂとの差から、吸気の絶対湿度と排気の絶対湿度の差を求め、得られた絶対湿度の差を値ｃとする。
【００５６】
ステップＳ１０７では、制御部１８０は、ステップＳ１０６で得られた値ｃが、ステップＳ１０４で記憶された値ｃよりも小さいかどうかを判断する。ステップＳ１０６で得られた値ｃが、ステップＳ１０４で記憶された値ｃよりも小さければ、ステップＳ１０８に進む。ステップＳ１０６で得られた値ｃが、ステップＳ１０４で記憶された値ｃよりも小さくなければ、ステップＳ１０９に進む。
【００５７】
ステップＳ１０８では、制御部１８０は、送風機１４０を制御して、回転数を減少させる。ステップＳ１０９では、制御部１０８は、送風機１４０を制御して、回転数を上昇させる。ステップＳ１０６で得られた値ｃが、ステップＳ１０４で記憶された値ｃよりも小さければ、供給側温湿度センサ１７１で検知された絶対湿度と排出側温湿度センサ１７２で検知された絶対湿度の差が時間の経過とともに減少している、すなわち、乾燥度が高まっていると判断される。このような場合には、送風量を大きくしても、被乾燥対象物の乾燥度を増大させることはできない。そこで、このような場合には、送風量を少なくすることによって、送風量を保つ場合と比較して消費電力を低減することができる。
【００５８】
その後、ステップＳ１０４に戻る。このようにして、供給側温湿度センサ１７１で検知された絶対湿度と排出側温湿度センサ１７２で検知された絶対湿度の差の時間変化に基づいて、送風機１４０の能力制御が行なわれる。
【００５９】
また、制御部１８０は、供給側温湿度センサ１７１によって検知される絶対湿度と排出側温湿度センサ１７２によって検知される絶対湿度との差が所定の値よりも大きい場合には、送風機１４０によって送出される空気の量を相対的に小さくするように構成されている。
【００６０】
例えば、送風機１４０によって送出される空気の量が２ｍ３／分、供給側温湿度センサ１７１によって検知される絶対湿度と排出側温湿度センサ１７２によって検知される絶対湿度の差が０．００３ｋｇ／ｋｇ（ＤＡ）であって、送風機１４０によって送出される空気の量を相対的に大きくした場合、すなわち、送風機１４０を高速で運転させる場合について説明する。
【００６１】
図６に示すように、送風機１４０によって送出される空気の量を、例えば３ｍ３／分にすると、風量が増加した分、供給側温湿度センサ１７１によって検知される絶対湿度と排出側温湿度センサ１７２によって検知される絶対湿度の差が小さくなる。風量を増加させても除湿量が変化しなければ、絶対湿度の差は約０．００２ｋｇ／ｋｇ（ＤＡ）になる。実際には、衣類からの水分の蒸発速度、コンタクトファクター、湿度、温度、乾燥促進状態の条件などの乾燥要因によって、絶対湿度の差が０．００２ｋｇ／ｋｇ（ＤＡ）を上回る場合と、下回る場合とがある。
【００６２】
送風機１４０によって送出される空気の量を３ｍ３／分にしたとき、供給側温湿度センサ１７１によって検知される絶対湿度と排出側温湿度センサ１７２によって検知される絶対湿度の差が０．００２ｋｇ／ｋｇ（ＤＡ）を上回る場合には、送風機１４０によって送出される空気の量を３ｍ３／分のままにする。
【００６３】
一方、送風機１４０によって送出される空気の量を３ｍ３／分にしたとき、供給側温湿度センサ１７１によって検知される絶対湿度と排出側温湿度センサ１７２によって検知される絶対湿度の差が０．００２ｋｇ／ｋｇ（ＤＡ）を下回る場合には、送風機１４０によって送出される空気の量を、もとの２ｍ３／分にする。
【００６４】
次に、例えば、送風機１４０によって送出される空気の量が２ｍ３／分、供給側温湿度センサ１７１によって検知される絶対湿度と排出側温湿度センサ１７２によって検知される絶対湿度の差が０．００３ｋｇ／ｋｇ（ＤＡ）であって、送風機１４０によって送出される空気の量を相対的に小さくした場合、すなわち、送風機１４０を低速で運転させる場合について説明する。
【００６５】
図６に示すように、送風機１４０によって送出される空気の量を、例えば１ｍ３／分にすると、風量が減少した分、供給側温湿度センサ１７１によって検知される絶対湿度と排出側温湿度センサ１７２によって検知される絶対湿度の差が大きくなる。風量を減少させても除湿量が変化しなければ、絶対湿度の差は約０．００６ｋｇ／ｋｇ（ＤＡ）になる。実際には、衣類からの水分の蒸発速度、コンタクトファクター、湿度、温度、乾燥促進状態の条件などの乾燥要因によって、絶対湿度の差が０．００６ｋｇ／ｋｇ（ＤＡ）を上回る場合と、下回る場合とがある。
【００６６】
送風機１４０によって送出される空気の量を１ｍ３／分にしたとき、供給側温湿度センサ１７１によって検知される絶対湿度と排出側温湿度センサ１７２によって検知される絶対湿度の差が０．００６ｋｇ／ｋｇ（ＤＡ）を上回る場合、特に、検知される絶対湿度の差が０．００６ｋｇ／ｋｇ（ＤＡ）よりも１０〜２０％以上大きい場合には、送風機１４０によって送出される空気の量を１ｍ３／分のままにする。すなわち、送風機１４０によって送出される空気の量を相対的に小さくする。
【００６７】
このように、風量を切り替えたときに、供給側温湿度センサ１７１によって検知される絶対湿度と排出側温湿度センサ１７２によって検知される絶対湿度との差が、予測される値に対して１０〜２０％以上大きい場合には、送風機１４０によって送出される空気の量を相対的に小さくする。
【００６８】
一方、送風機１４０によって送出される空気の量を１ｍ３／分にしたとき、供給側温湿度センサ１７１によって検知される絶対湿度と排出側温湿度センサ１７２によって検知される絶対湿度の差が０．００６ｋｇ／ｋｇ（ＤＡ）を下回る場合には、送風機１４０によって送出される空気の量を、もとの２ｍ３／分にする。
【００６９】
供給路１２０内の空気が衣類と比較して十分に乾燥している場合には、送風機１４０によって送出される空気の量を相対的に小さくしても、衣類から水分を除去することができる。このようにすることにより、消費される電力を低減することができる。
【００７０】
なお、この実施の形態においては、送風機１４０によって送出される空気の量を１ｍ３／分、２ｍ３／分、３ｍ３／分の３段階に調節している。送風機１４０によって送出される空気の量は、数段階に調節されることが好ましい。
【００７１】
以上のように、衣類洗濯乾燥機１は、回転ドラム１１０と、供給路１２０と、排出路１３０と、送風機１４０と、ヒータ１５０と、供給側温湿度センサ１７１と、排出側温湿度センサ１７２とを備える。回転ドラム１１０は、衣類を収容するものである。供給路１２０は、回転ドラム１１０の内部に空気を供給するためのものである。排出路１３０は、回転ドラム１１０の内部から空気を排出するためのものである。送風機１４０は、供給路１２０内の空気を送出するためのものである。ヒータ１５０は、供給路１２０内の空気を加熱するためのものである。供給側温湿度センサ１７１は、供給路１２０内の絶対湿度を検知するためのものである。排出側温湿度センサ１７２は、排出路１３０内の絶対湿度を検知するためのものである。
【００７２】
以上のように構成された衣類洗濯乾燥機１は、供給側温湿度センサ１７１によって検知される絶対湿度と排出側温湿度センサ１７２によって検知される絶対湿度との差が所定の値よりも大きい場合には、送風機１４０が駆動されてヒータ１５０が駆動停止される。供給側温湿度センサ１７１によって検知される絶対湿度と排出側温湿度センサ１７２によって検知される絶対湿度との差が所定の値以下である場合には、送風機１４０とヒータ１５０とが駆動されるように構成されている。
【００７３】
供給側温湿度センサ１７１によって検知される絶対湿度と排出側温湿度センサ１７２によって検知される絶対湿度との差が所定の値よりも大きい場合には、送風機１４０が駆動されてヒータ１５０が駆動停止される。このような場合には、供給路１２０内の空気は衣類と比較して十分に乾燥しているので、供給路１２０内の空気がそのまま衣類に接触することによって、衣類から十分に水分を除去することができる。なお、衣類に供給される空気の温度が低くても、供給路１２０内の空気の絶対湿度と排出路１３０内の空気の絶対湿度との差が所定の値よりも大きければ、供給路１２０内の空気をそのまま衣類に供給しても衣類から水分を除去することができる。
【００７４】
一方、供給側温湿度センサ１７１によって検知される絶対湿度と排出側温湿度センサ１７２によって検知される絶対湿度との差が所定の値以下である場合には、送風機１４０とヒータ１５０とが駆動される。このような場合には、供給路１２０内の空気は、衣類と比較して十分に乾燥しているとはいえない。そこで、供給路１２０内の空気を加熱してから衣類に供給することによって、衣類からさらに水分を除去することができる。
【００７５】
このように、供給路１２０内の空気の絶対湿度と排出路１３０内の空気の絶対湿度との差に基づいて、供給路１２０内の空気を加熱せずにそのまま衣類に供給するか、供給路１２０内の空気を加熱してから衣類に供給するかを切り替えることによって、衣類の乾燥度に応じて、最適な乾燥を行うことができ、省エネルギーを実現することができる。例えば、供給路１２０内の空気を加熱する必要がないときには供給路１２０内の空気をそのまま衣類に供給することによって、ヒータ１５０で消費される電力を低減させることができる。また、供給路１２０内の空気をそのまま衣類に供給しても十分に乾燥させることができない場合には、ヒータ１５０で加熱された空気を衣類に供給することによって、乾燥行程の全体に必要な時間を短縮し、結果として省エネルギーを実現することができる。
【００７６】
このようにすることにより、衣類の乾燥度合いに応じて、衣類を効率よく乾燥させることが可能な衣類洗濯乾燥機１を提供することができる。
【００７７】
また、衣類洗濯乾燥機１は、供給側温湿度センサ１７１によって検知される絶対湿度と排出側温湿度センサ１７２によって検知される絶対湿度との差が所定の値よりも大きい場合には、送風機１４０によって送出される空気の量を相対的に小さくするように構成されている。
【００７８】
供給路１２０内の空気が衣類と比較して十分に乾燥している場合には、送風機１４０によって送出される空気の量を相対的に小さくしても、衣類から水分を除去することができる。このようにすることにより、消費される電力を低減することができる。
【００７９】
また、衣類洗濯乾燥機１は、供給側温湿度センサ１７１によって検知される絶対湿度と排出側温湿度センサ１７２によって検知される絶対湿度との差の時間変化に基づいて、送風機１４０によって送出される空気の量を調整するように構成されている。
【００８０】
乾燥行程の後半には、供給側温湿度センサ１７１によって検知される絶対湿度と排出側温湿度センサ１７２によって検知される絶対湿度との差の時間変化量が小さくなる。このような場合には、送風量を大きくしても、衣類の乾燥度を増大させることはできない。そこで、このような場合には、送風量を少なくすることによって、送風量を保つ場合と比較して消費電力を低減することができる。
【００８１】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【００８２】
１：衣類洗濯乾燥機、１１０：回転ドラム、１２０：供給路、１３０：排出路、１４０：送風機、１５０：ヒータ、１７１：供給側温湿度センサ、１７２：排出側温湿度センサ。
【図１】
2011120778.tif 000003
【図２】
2011120778.tif 000004
【図３】
2011120778.tif 000005
【図４】
2011120778.tif 000006
【図５】
2011120778.tif 000007
【図６】
2011120778.tif 000008